(57)【要約】【課題】操作性に優れ、十分量のミストを所望の時間連続的に噴霧することができるミスト噴霧ヘアブラシを提供する。【解決手段】液体のミストを生成する装置本体１０にホース３０で接続されるミスト噴霧ヘアブラシ１００であって、持ち手として用いられる把持部１３０と、把持部１３０の先端に連設され複数のピン１４１を有するブラシ部１４０と、を有するブラシ本体１２０を備え、把持部１３０の基端部１２０Ａには、ホース３０が接続されるミスト供給口１２０Ｃが備えられ、ブラシ本体１２０の外装を構成するハウジング１２５の内部は、ミスト供給口１２０Ｃから把持部１３０を経てブラシ部１４０に亘って延びる空洞状であり、ブラシ部１４０には、ミストを噴霧する複数のミスト孔１０１が備えられている。【選択図】図１
2018000842.tif 000002
【特許請求の範囲】
【請求項１】
液体のミストを生成するミスト生成装置にミスト供給ホースで接続されるミスト噴霧ヘアブラシであって、
持ち手として用いられる把持部と、前記把持部の先端に連設され複数のピンを有するブラシ部と、を有するブラシ本体を備え、
前記把持部の基端部には、前記ミスト供給ホースが接続されるミスト供給口が備えられ、
前記ブラシ本体を構成するハウジングの内部は、前記ミスト供給口から前記把持部を経て前記ブラシ部に亘って延びる空洞状であり、
前記ブラシ部には、ミストを噴霧する複数のミスト孔が備えられている
ことを特徴とするミスト噴霧ヘアブラシ。
【請求項２】
前記ブラシ部は、前記ハウジングの外面の一部を構成し、前記複数のピン及び、前記複数のミスト孔が設けられるピン配設部を有し、
前記ブラシ部の空洞内部に、前記ピン配設部との間に仕切りを設けて、電子部品が配置される電装部を備えた
ことを特徴とする請求項１に記載のミスト噴霧ヘアブラシ。
【請求項３】
前記ブラシ部には、ＬＥＤ発光素子が設けられ、前記ＬＥＤ発光素子からの光が前記ピンの間から出射可能に構成されていることを特徴とする請求項１または２に記載のミスト噴霧ヘアブラシ。
【請求項４】
前記電装部に、コントロール基板と、前記コントロール基板に接続される振動部と、電池を収容する電池ホルダーと、を備えたことを特徴とする請求項２又は３に記載のミスト噴霧ヘアブラシ。
【請求項５】
前記ピン配設部には、複数並べて設けられた前記ＬＥＤ発光素子の発光面が臨む出射開口が、前記ブラシ部の長手方向に沿って設けられ、前記出射開口を光透過性のグローブで閉塞したことを特徴とする請求項３又は４に記載のミスト噴霧ヘアブラシ。
【請求項６】
筐体内に、ミスト生成ユニットと、電源ユニットと、前記ミスト生成ユニットにより生成されたミストを放出するミスト放出ユニットと、を有し、
前記ミスト放出ユニットは、前記ミスト生成ユニットにより生成されたミストを収集する収集部と、前記収集部に収集されたミストを風圧により放出する放出ダクトと、を備えたミスト生成装置と、
前記ミスト生成装置の前記放出ダクトに、ミスト供給ホースで接続された請求項１乃至５の何れかに記載のミスト噴霧ヘアブラシと、を備えたことを特徴とするミスト噴霧装置。
【発明の詳細な説明】
【技術分野】
【０００１】
本発明は、ミストを噴霧することができるヘアブラシ、及び、当該ヘアブラシを備えたミスト噴霧装置に関する。
【背景技術】
【０００２】
従来、毛髪にブラッシングを行う際に、ミストを発生させて、毛髪にミストを供給することで、髪に優しいブラッシングを行うことができるミストヘアブラシが知られている（例えば、特許文献１参照）。この種のミストヘアブラシでは、ミストヘアブラシを構成するハウジング内にミスト発生機構が内装され、ハウジングに着脱自在に取り付けられた水タンクから給水してミストを発生させ、ミスト孔から噴出させている。
【先行技術文献】
【特許文献】
【０００３】
【特許文献１】特開平０７−１１６０２９号公報
【発明の概要】
【発明が解決しようとする課題】
【０００４】
ところで、ハウジング内に内装されたミスト発生機構と、ハウジングに着脱自在に取り付けられた水タンクと、を有するミストヘアブラシでは、ブラシが重量化や大型化すると、ブラシとしての機能性が低下してしまう。そのため、必然的に水タンクも小容量となり、この種のミストヘアブラシでは、ミストを少量、もしくは、短時間しか発生させることができなかった。しかしながら、操作性に優れ、十分量のミストを所望の時間連続的に噴霧することができるヘアブラシに対する要望があった。
本発明は、このような事情を鑑みてなされたものであり、操作性に優れ、十分量のミストを所望の時間連続的に噴霧することができるミスト噴霧ヘアブラシ、及び、ミスト噴霧装置を提供することを目的とする。
【課題を解決するための手段】
【０００５】
上記目的を達成するために、本発明は、液体のミストを生成するミスト生成装置にミスト供給ホースで接続されるミスト噴霧ヘアブラシであって、持ち手として用いられる把持部と、前記把持部の先端に連設され複数のピンを有するブラシ部と、を有するブラシ本体を備え、前記把持部の基端部には、前記ミスト供給ホースが接続されるミスト供給口が備えられ、前記ブラシ本体を構成するハウジングの内部は、前記ミスト供給口から前記把持部を経て前記ブラシ部に亘って延びる空洞状であり、前記ブラシ部には、ミストを噴霧する複数のミスト孔が備えられていることを特徴とする。
【０００６】
また本発明は、上記ミスト噴霧ヘアブラシにおいて、前記ブラシ部は、前記ハウジングの外面の一部を構成し、前記複数のピン及び、前記複数のミスト孔が設けられるピン配設部を有し、前記ブラシ部の空洞内部に、前記ピン配設部との間に仕切りを設けて、電子部品が配置される電装部を備えたことを特徴とする。
【０００７】
また本発明は、上記ミスト噴霧ヘアブラシにおいて、前記ブラシ部には、ＬＥＤ発光素子が設けられ、前記ＬＥＤ発光素子からの光が前記ピンの間から出射可能に構成されていることを特徴とする。
【０００８】
また本発明は、上記ミスト噴霧ヘアブラシにおいて、前記電装部に、コントロール基板と、前記コントロール基板に接続される振動部と、電池を収容する電池ホルダーと、を備えたことを特徴とする。
【０００９】
また本発明は、上記ミスト噴霧ヘアブラシにおいて、前記ピン配設部には、複数並べて設けられた前記ＬＥＤ発光素子の発光面が臨む出射開口が、前記ブラシ部の長手方向に沿って設けられ、前記出射開口を光透過性のグローブで閉塞したことを特徴とする。
【００１０】
また、上記目的を達成するために、本発明は、筐体内に、ミスト生成ユニットと、電源ユニットと、前記ミスト生成ユニットにより生成されたミストを放出するミスト放出ユニットと、を有し、前記ミスト放出ユニットは、前記ミスト生成ユニットにより生成されたミストを収集する収集部と、前記収集部に収集されたミストを風圧により放出する放出ダクトと、を備えたミスト生成装置と、前記ミスト生成装置の前記放出ダクトに、ミスト供給ホースで接続された請求項１乃至５の何れかに記載のミスト噴霧ヘアブラシと、を備えたことを特徴とする。
【発明の効果】
【００１１】
本発明によれば、液体のミストを生成するミスト生成装置にミスト供給ホースで接続されるミスト噴霧ヘアブラシであって、持ち手として用いられる把持部と、前記把持部の先端に連設され複数のピンを有するブラシ部と、を有するブラシ本体を備え、前記把持部の基端部には、前記ミスト供給ホースが接続されるミスト供給口が備えられ、前記ブラシ本体を構成するハウジングの内部は、前記ミスト供給口から前記把持部を経て前記ブラシ部に亘って延びる空洞状であり、前記ブラシ部には、ミストを噴霧する複数のミスト孔が備えられている。このため、ミスト生成装置からミスト供給ホースを介して供給されるミストを、ブラシ本体のハウジング内部を通して、ミスト孔から噴霧して用いることができる。つまり、ブラシ本体にミスト生成ユニットや、水タンクを設ける必要がなく、ブラシ本体を軽量で小型にすることができる。また、ミスト生成装置は、ブラシ本体とは別体であるため、水タンクの容量や、ミスト発生量を大きくしてもブラシ本体の操作性に影響を与えることがない。よって、操作性に優れ、十分量のミストを所望の時間連続的に噴霧することができるミスト噴霧ヘアブラシを提供することができる。
【図面の簡単な説明】
【００１２】
【図１】ミスト噴霧装置を前面側から視た斜視図である。
【図２】ミスト噴霧装置を背面側から視た斜視図である。
【図３】ミスト噴霧装置の内部構成を示す斜視図である。
【図４】ミスト送出ユニットの構成を示す斜視図である。
【図５】ミスト生成ユニットの構成を示す斜視図である。
【図６】ミスト噴霧ヘアブラシの構成を示す斜視図である。
【図７】ミスト噴霧ヘアブラシの内部構成を示す長手方向断面図である。
【図８】ミスト噴霧ヘアブラシの内部構成を示す短手方向断面図である。
【図９】下部カバーを外した状態のミスト噴霧ヘアブラシの内部構成を示す斜視である。
【図１０】下部カバーの構成を示す上面図である。
【発明を実施するための形態】
【００１３】
以下、図面を参照して本発明を適用した実施形態について説明する。
図１は、ミスト噴霧装置１を正面側からみた斜視図、図２は、ミスト噴霧装置１を背面側からみた斜視図である。
図１及び図２に示すように、ミスト噴霧装置１は、装置本体１０（ミスト生成装置）と、装置本体１０に一端３１が接続されたホース３０（ミスト供給ホース）と、ホース３０の他端３２に接続されたミスト噴霧ヘアブラシ１００と、を備えている。詳細については後述するが、装置本体１０の内部で生成されたミストは、ホース３０を介してミスト噴霧ヘアブラシ１００に供給される。ミスト噴霧ヘアブラシ１００には、ミスト噴霧用のミスト孔１０１が設けられ、被施術者の毛髪にブラッシングを行う際に、ミストがミスト孔１０１から被施術者の毛髪に噴霧されるように構成されている。
【００１４】
装置本体１０は、前面パネル１１ａと、背面パネル１１ｂと、底板１１ｃと、操作パネル１２と、を有する筐体１１を備える。また、装置本体１０は、背面パネル１１ｂにホース３０の一端３１が接続される噴出口１３を備える。また、背面パネル１１ｂには、後述するミスト生成ユニット（生成手段）２０のメンテナンス時に、ミスト生成ユニット２０を出し入れ可能なメンテナンス開口１５が設けられ、当該メンテナンス開口１５にはメンテナンスパネル１６が開閉自在に取り付けられている。
【００１５】
操作パネル１２は、装置本体１０の上部に設けられ、筐体１１の天面を構成する。操作パネル１２は、操作をする人が操作ボタンを見やすく、且つ、操作しやすいように、操作面が斜めに設けられている。操作パネル１２には、電源ボタン６１、水量インジケーター６２、ミストを噴霧する時間の設定を行う時間設定ボタン６３、及び、ミストの噴霧の開始及び停止を操作する運転操作ボタン６４が設けられている。また、操作パネル１２には、ミスト噴霧装置１の種々の操作を行う複数の操作ボタンと、ミスト噴霧装置１の種々の状態を示す複数のインジケーターが設けられている。
【００１６】
筐体１１の背面パネル１１ｂには、筐体１１の後上方に延び、装置本体１０に接続されたホース３０をぶら下げた状態で保持する保持部４０が取り付けられている。保持部４０は、ホース３０がぶら下げられるリング状のリング体４１Ｂと、背面パネル１１ｂに連結され、リング体４１Ｂと背面パネル１１ｂとの間に橋架される２本の棒体４１Ａと、から構成される。これらの構成によれば、装置本体に接続されるホース３０をすっきりとまとめて保持することができる。なお、ホース３０は、ミスト噴霧ヘアブラシ１００を所望の位置まで稼働できるフレキシブルホースである。
【００１７】
筐体１１の背面パネル１１ｂには、図２に示すように、給水用のボトル６５が収容されるボトル収容部１４が形成されている。ボトル収容部１４は、ボトル６５が着脱自在に形性されている。水量インジケーター６２（図１参照）が、水溶液の水量が補充レベルに達したことを示した場合には、ユーザーは、ボトル６５をボトル収容部１４から取り外して、ボトル６５に水溶液を充填して、ボトル６５を再びボトル収容部１４に収容する。
【００１８】
また、背面パネル１１ｂには、商用電圧ＡＣ１００Ｖのコンセントに接続された電源ケーブルが差し込まれるインレット端子１９が設けられている。装置本体１０は、筐体１１内に設けられた電源ユニット（通電手段）２１により入力された電力を変換、調整して５Ｖ、及び、２４Ｖの出力電力を生成することができる。装置本体１０は、電源ボタン６１がＯＮにされると、まず、装置本体１０の各動作機構の始動準備を行い、続いて、２４Ｖの出力電力によりミストの発生を行い、５Ｖの出力電力により装置本体の制御を行う。
【００１９】
続いて、図３〜図５を用いて、ミスト噴霧装置１の内部構成について説明する。図３は前面パネル１１ａを取り外し、前面側からミスト噴霧装置１の内部を示した図、図４はミスト放出ユニット２２を示す図、図５はミスト生成ユニット２０を示す図である。
筐体１１内には、図３に示すように、ミスト生成ユニット２０と、電源ユニット２１と、ミスト放出ユニット２２、とを備えている。電源ユニット２１は、図示は省略するが、上述した電力変換ユニットや、制御基板を備え、ミスト噴霧装置１の各部を制御する制御手段として機能する。ミスト放出ユニット２２はファン取付用アダプタ２３の内側に設けられた送風ファン２９を備え、ミスト生成ユニット２０により生成されたミストを、送風ファン２９を駆動した際の風圧でホース３０を介してミスト噴霧ヘアブラシ１００に噴霧する。なお、本実施形態では、送風ファン２９にプロペラファンを用いているが、シロッコファンや、ターボファン等、の各種ファンを用いても良い。
【００２０】
電源ユニット２１は、底板１１ｃに着脱自在に取り付けられた第１の支持台６７に支持されて、前面パネル１１ａを取り外した筐体１１の前面側からメンテナンスを行うことができるように、筐体１１内で前面パネル１１ａに寄せて配設される。電源ユニット２１の下方には、第１の支持台６７によって底板１１ｃとの間に、ミスト生成ユニット２０の電装ユニット４６が収容される空間Ｓが形成される。
【００２１】
図４に示すように、ミスト放出ユニット２２は、第２の支持台６８の上に配設されている。第２の支持台６８は、第１の支持台６７と略同じ高さに形成され底板１１ｃに着脱自在に取り付けられている。図３、図４に示すように、装置本体１０の下部には、第１の支持台６７と、第２の支持台６８とが、横並びに並べて配置され、第１の支持台６７及び第２の支持台６８の下部の空間Ｓにミスト生成ユニット２０が配置される。
【００２２】
第１の支持台６７及び第２の支持台６８と、底板１１ｃとの間に形成される空間Ｓは、メンテナンス開口１５に連通するように構成されている。ミスト生成ユニット２０は、メンテナンス開口１５を介して空間Ｓ内に取り付け、取り外し、可能に収容される。
第２の支持台６８の天板部２６は、ミスト放出ユニット２２の、後述する水タンク４２の蓋としての機能を有する。ミスト放出ユニット２２をメンテナンス開口１５を介して筐体１１内に挿入した際には、水タンク４２が天板部２６により覆われる。
【００２３】
ミスト放出ユニット２２は、図４に示すように、収集部２５と、放出ダクト２４と、送風ダクト６９とを備える。収集部２５は、下方に開口する箱形状に形成されている。送風ダクト６９の上端には、送風ファン２９を送風ダクト６９に取り付けるためのファン取付用アダプタ２３が取り付けられる。ファン取付用アダプタ２３によって取り付けられた送風ファン２９が駆動すると、背面パネル１１ｂの上部に設けられた吸気孔７１を介してミスト噴霧装置１周辺の空気が吸い込まれて送風ダクト６９を介して収集部２５に送風される。
【００２４】
送風ダクト６９から収集部２５に送風されると、収集部２５内に収集されたミストが、風圧により放出ダクト２４に導かれる。放出ダクト２４には、外部に開口する放出口２７が設けられ、放出口２７は、背面パネル１１ｂに設けられた噴出口１３に接続される。これにより、ミスト生成ユニット２０により生成されたミストは、送風ダクト６９を介して送風される風の風圧で収集部２５から押し出されて、放出ダクト２４に導かれ、放出口２７、噴出口１３、ホース３０を介して、ミスト噴霧ヘアブラシ１００内に噴霧される。
【００２５】
また、第２の支持台６８の天板部２６には、給水用のボトル６５の給水キャップが差し込まれる給水口２８が形成されている。
図５に示すように、ミスト生成ユニット２０の、水タンク４２には、給水口２８に対応する位置に、ボトル６５の給水キャップに設けられた止水栓を抜く抜芯４３が設けられている。背面パネル１１ｂに設けられたボトル収容部１４に収容されたボトル６５の給水キャップは、給水口２８に差し込まれ、給水キャップの止水栓は、ミスト生成ユニット２０の水タンク４２に設けられた抜芯４３により押し込まれて開けられる。これにより、水タンク４２内の水溶液の水面が下がった際には、ボトル６５に充填された水溶液がミスト生成ユニット２０の水タンク４２内に流れ出る。ボトル６５の充填口は、給水キャップにより閉封され、ボトル６５を逆さにしても水溶液がこぼれないが、充填口がミスト生成ユニット２０の給水口２８に挿入され、且つ、ミスト生成ユニット２０の水タンク４２内の水溶液量が満水ではない時に、ボトル６５内の水溶液がミスト生成ユニット２０内に供給させるように構成されている。
【００２６】
ミスト生成ユニット２０は、筐体１１の前面側に配置される電装ユニット４６と、筐体１１の背面側に配置される水タンク４２と、を備える。ミスト生成ユニット２０は、図示は省略するが、電装ユニット４６に不図示の蓋を取り付けた状態で、図中に示した矢印Ｘの方向に背面パネル１１ｂのメンテナンス開口１５から筐体１１内に挿入される。
水タンク４２の底部には、ボトル６５により給水された液体をミスト化するための圧電振動子板４４が複数設けられている。本実施形態では、６個の圧電振動子板４４が、予め水タンク４２の底部に形成され６個の凹部にそれぞれ収容されて備えられている。
電装ユニット４６には、箱状の電装箱４６ａ内に、圧電振動子板４４を動作させるための動作用基板４７が、各圧電振動子板４４に対して１基板ずつ備えられている。本実施形態では、６枚の動作用基板４７が上下２段に配置されて備えられている。また、電装ユニット４６には、動作用基板４７が発する熱を放熱させる放熱板４８が備えられている。
【００２７】
水タンク４２に備えられた圧電振動子板４４は、それぞれ動作用基板４７によって、２．４ＭＨｚの動作周波数を得て振動する。圧電振動子板４４が振動すると、水タンク４２内の液体がエネルギーを持ち、粒径３μｍ以下のミストが生成される。なお、圧電振動子板４４は、装置本体１０の電源ユニット２１から２４Ｖの動作電圧を得て動作するように構成されている。またミスト生成用の液体としては、水道水や純水等の水、またはプラチナアミノイオン水等の水溶液を、装置の使用用途に応じて用いることができる。
【００２８】
ミスト生成ユニット２０には、水タンク４２の外周に沿って防水パッキン（不図示）が取り付けられる溝４９が設けられている。ミスト生成ユニット２０をメンテナンス開口１５から筐体１１内に差し込んだ際には、溝４９に取り付けられた防水パッキンが第２の支持台６８の天板部２６との間で押し潰されるように構成されている。これにより、水タンク４２内に貯水された液体が電装ユニット４６、或いは、筐体１１内に漏れ出るのを防止することができる。
【００２９】
次に、ミスト噴霧ヘアブラシ１００について説明する。
図６はミスト噴霧ヘアブラシ１００の斜視図であり、図７は長手方向断面図、図８はブラシ部１４０の短手方向断面図である。
ミスト噴霧ヘアブラシ１００は、ブラシ本体１２０と、ホース継手１１０とを備えている。ブラシ本体１２０は、持ち手として用いられる把持部１３０と、把持部１３０の先端に連続して設けられたブラシ部１４０と、を備えている。ブラシ部１４０には、被施術者の毛髪をブラッシングにより整えるために用いられる複数のピン（毛）１４１が備えられている。
【００３０】
ブラシ本体１２０の外装を成すハウジング１２５は、上カバー１２１と、下カバー１２４と、を備えている。ハウジング１２５は、樹脂材等の軽量で熱伝導性の低い材料で形成されている。上カバー１２１と、下カバー１２４とは、ブラシ本体１２０の組み立て時に、互いに対向する面が開口する中空箱型に形成され、上カバー１２１と、下カバー１２４とを合わせ面１２５Ａで合わせることで、互いの開口が塞がれるように構成されている。
把持部１３０は、ブラシ部１４０よりも直径が小さく、施術者が持ちやすい適宜の太さ、及び形状に形成されている。
【００３１】
ブラシ部１４０には、下カバー１２４の底面１２４Ａに複数のピン１４１が複数列に配列されて設けられている。
また、ブラシ本体１２０の内部には、詳細については後述するが、上カバー１２１の内側に、コントロール基板１３６や、電池、モーター１５２等の電子部品を収容する電装部１５０が設けられる。そして、上カバー１２１の天面１２１Ａには、電装部１５０内に天面１２１Ａ側から電池の取り付け、取り外しができるように、第１の電装蓋１２２が取り付けられている。また、天面１２１Ａには、第１の電装蓋１２２に並べて、電装部１５０内に設けた振動モーター１５２（振動部）のメンテナンスを行うための第２の電装蓋１２３が取り付けられている。
【００３２】
図７に示すように、ブラシ本体１２０の基端部１２０Ａには、上カバー１２１と、下カバー１２４と、に挟まれて、ホース継手１１０が取り付けられている。ホース継手１１０は、装置本体１０から延びるホース３０をブラシ本体１２０に接続するためのホース接続用アダプターであり、ホース３０の他端３２が接続される接続端部１１１を備えている。接続端部１１１は、ホース３０の他端３２と接続可能に構成されている。ホース３０は、例えば、ホース継手１１０の接続端部１１１を、他端３２の内側に挿入することで、ホース継手１１０に接続される構成であってもよい。
【００３３】
ホース継手１１０は、ブラシ本体１２０の基端部１２０Ａに対応する位置に接続端部１１１の外径方向に拡がるフランジ部１１４を備えている。フランジ部１１４は、ホース継手１１０の上流側に向かって延び、接続端部１１１との間に隙間を形成する環状部１１４Ｂを備えている。ホース３０をホース継手１１０に接続する際には、ホース３０の他端３２が、環状部１１４Ｂと、接続端部１１１との間の隙間に延びるようにホース３０を挿入させる。これにより、ホース３０の他端３２がホース継手１１０の環状部１１４Ｂと、接続端部１１１とに挟まれた状態で接続され、ホース３０を通ってブラシ本体１２０内に導かれるミストがホース３０の他端３２から漏れるのを防ぐことができる。
【００３４】
ブラシ本体１２０の基端部１２０Ａは、端面１２０Ｂにホース継手１１０が接続されるミスト供給口１２０Ｃを有している。ホース継手１１０は、当該フランジ部１１４の端面１１４Ａを、端面１２０Ｂに当接させて取り付けられる。また、ホース継手１１０は、フランジ部１１４の端面１１４Ａとの間で、基端部１２０Ａの端面１２０Ｂを挟む、係止フランジ１１５を備えている。ブラシ本体１２０の組み立て時には、基端部１２０Ａの端面１２０Ｂを、ホース継手１１０のフランジ部１１４と、係止フランジ１１５との間に配置して、上カバー１２１と、下カバー１２４とを組み合わせる。これにより、ホース継手１１０は、上カバー１２１と、下カバー１２４と、に挟まれて、ブラシ本体１２０に一体に取り付けられる。
【００３５】
ホース継手１１０は、ブラシ本体１２０の内部に挿入された下流側端部１１２が、接続端部１１１よりも縮径し、噴霧口１１２Ａが、下カバー１２４内部に開口するように構成されている。
ブラシ本体１２０の内部は、ホース継手１１０が接続されたミスト供給口１２０Ｃから、把持部１３０の内部を経て、ブラシ部１４０の内部に亘って延びる空洞状に形成されている。ブラシ本体１２０の空洞内部は、上カバー１２１側に電子部品が収容され、下カバー１２４側が、ミスト供給口１２０Ｃから供給されたミストが導かれるミスト流路１０６として構成されている。噴霧口１１２Ａから噴霧されたミストは、下カバー１２４内部のミスト流路１０６を通り、把持部１３０内部からブラシ部１４０内部へと流れる。
【００３６】
図７、図８に示すように、上カバー１２１の内部には、電装部１５０が設けられる。電装部１５０は、ブラシ部１４０内の上部の空間に設けられた第１電装部１５０Ａと、把持部１３０内の上部空間に設けられた第２電装部１５０Ｂと、を備えている。第１電装部１５０Ａには、ブラシ本体１２０の各部を駆動する電源となる電池が収容される電池ホルダー１５１と、振動モーター１５２と、マグネットプレート１５３と、が設けられる。第２電装部１５０Ｂには、コントロール基板１３６と、コントロール基板１３６に連結されたスイッチ１３５と、が設けられている。
【００３７】
コントロール基板１３６は、第１電装部１５０Ａに収容された電池によって駆動し、ミスト噴霧ヘアブラシの各部を制御する。コントロール基板１３６は、スイッチ１３５に対するユーザー操作に応じて、後述する振動モーター１５２のオン／オフや、ＬＥＤ１６２（ＬＥＤ発光素子）のオン／オフを行う。
第２電装部１５０Ｂは、把持部１３０の内部空間を、上カバー１２１に取り付けた仕切板１３７で仕切られて形成されている。図７、図９に示すように、仕切板１３７は、ホース継手１１０の噴霧口１１２Ａよりも上方に、合わせ面１２５Ａと略平行に設けられている。仕切板１３７は、第２電装部１５０Ｂ内部をミスト流路１０６から水密に離隔するように構成され、ミスト流路１０６を流れるミストが第２電装部１５０Ｂの内部に侵入するのを防ぐ機能を有する。
【００３８】
第１電装部１５０Ａは、図７、図８に示すように上カバー１２１の天面１２１Ａをブラシ部１４０の内部に凹ませて形成され、上カバー１２１に一体に形成された離隔壁１５５によって、ミスト流路１０６と仕切られた箱型の収容室の形態に構成されている。第１電装部１５０Ａの、天面１２１Ａ側開口には、第１の電装蓋１２２と、第２の電装蓋１２３とが、開閉自在に取り付けられる。ユーザーは、第１の電装蓋１２２を開いて、第１電装部１５０Ａ内に電池の出し入れをすることができる。また、ユーザーは、第２の電装蓋１２３を開いて、第１電装部１５０Ａ内に取り付けられた振動モーター１５２のメンテナンスを行うことができる。
【００３９】
振動モーター１５２は、電池ホルダー１５１に装着された電池で駆動するものであり、ユーザーのスイッチ１３５に対する操作に応じてコントロール基板１３６の制御によって所定周波数の振動を発生させるものである。振動モーター１５２の振動によって、被施術者の毛髪に所定の周波数の振動を与えることで、毛髪へ水分を浸透させやすくしたり、毛髪に所望の形状を付与しやすくしたりすることができる。なお、振動モーター１５２には、一般的な振動モーターや、音波振動を発生させる音波振動子を好適に用いることができる。
【００４０】
第１電装部１５０Ａの下部には、ブラシ部１４０の短手方向中央に設けられ、ブラシ部１４０の長手方向に沿って延びる光源部１６０が備えられている。光源部１６０は、光透過性の材料から形成され断面略Ｕ字形状のグローブ１６１を備えている。また、光源部１６０は、グローブ１６１内に配置され光源部１６０の延在方向に延びるＬＥＤ基板１６３と、ＬＥＤ基板１６３の長手方向に所定間隔で一列に並べて実装された複数のＬＥＤ１６２と、を備えている。
【００４１】
離隔壁１５５は、第１電装部１５０Ａの底を構成する底壁１５５Ｂに、ミスト流路１０６に連通し、光源部１６０の延在範囲に亘って延びる底部開口１５５Ｃを有している。離隔壁１５５は、底部開口１５５Ｃの縁に沿って形成され、下方に延びる光源取付部１５５Ｄを備えている。第１電装部１５０Ａは、光源取付部１５５Ｄに光源部１６０のグローブ１６１を取り付けることで、離隔壁１５５の底部開口１５５Ｃが塞がれ、内部がミスト流路１０６から水密に離隔するように構成されている。
【００４２】
また、第１電装部１５０Ａの内部空間には、電池ホルダー１５１の下に、一対のマグネットプレート１５３が配置されている。マグネットプレート１５３は、ブラシ部１４０の横方向に、左右に並べて配置されている。マグネットプレート１５３は、例えば、磁力が１００００ガウス以上の永久磁石であり、ブラシ部１４０の周囲に磁界を発生させて、毛髪に静電気が発生するのを防ぐことができるように配置されている。
また、マグネットプレート１５３によってミストに対して還元作用を与えることができ、ミストの酸化を抑制して、還元作用を受けたミストを被施術者の毛髪に噴霧することができる。
【００４３】
電池ホルダー１５１と、ＬＥＤ基板１６３との間には、グローブ１６１内にＬＥＤ基板１６３を所定位置に支持する押え板１６４が設けられる。また、グローブ１６１の出射面と、ＬＥＤ基板１６３との間には、グローブ１６１、ＬＥＤ基板１６３が載置される載置部１６５が設けられている。載置部１６５は、ＬＥＤ基板１６３の長手方向端部近傍と、長手方向略中央との３か所に設けられている。載置部１６５は、グローブ１６１に一体に形成することができ、ＬＥＤ１６２の発光の妨げない位置、及び、大きさに形成されている。
【００４４】
押え板１６４は、ＬＥＤ基板１６３に下端が当接する押え部１６４Ａと、ＬＥＤ基板１６３の長手方向に所定間隔で設けられた複数（本実施形態では２つ）の押え部１６４Ａに一体に設けられた台部１６４Ｂと、を備えている。押え板１６４は、台部１６４Ｂと、電池ホルダー１５１との間に設けられたスペーサ１６６によって、ＬＥＤ基板１６３に対して押され、ＬＥＤ基板１６３の浮き上がりを防止するように構成されている。ＬＥＤ基板１６３は、グローブ１６１の内部に、押え板１６４と、載置部１６５との間に挟まれた状態で設けられている。
【００４５】
ＬＥＤ１６２には、赤色光を発光するＬＥＤと、青色光を発光するＬＥＤと、緑色光を発光するＬＥＤと、が各々１つ以上用いられている。ＬＥＤ１６２の発光は、グローブ１６１を通って拡散されて毛髪に照射される。赤色光を発光するＬＥＤ１６２が点灯された場合、赤色光の発光により、被施術者の毛髪に育毛を促進する効果を与えることができる。青色光を発光するＬＥＤ１６２が点灯された場合、青色光の発光により、被施術者の毛髪や頭皮を殺菌する効果を与えることができる。また、緑色光を発光するＬＥＤ１６２が点灯された場合、緑色光の発光により、頭皮のストレス軽減や水分保持を促進する効果を与えることができる。どの色のＬＥＤ１６２を点灯／消灯するかは、ユーザーのスイッチ１３５に対する操作に応じて、コントロール基板１３６によって制御される。
【００４６】
ミスト噴霧ヘアブラシ１００において、図７、図９に示すように、コントロール基板１３６、電池、振動モーター１５２、ＬＥＤ基板１６３、及び、ＬＥＤ１６２等の電子部品は、上カバー１２１に一体に、ミスト流路１０６から水密に離隔されて設けられている。そのため、各種電子部品を備え上カバー１２１と、ミスト流路１０６を構成する中空の下カバー１２４とを合わせ面１２５Ａで合わせることで、簡単にミスト噴霧ヘアブラシ１００を組み立てることができる。
【００４７】
図８、図１０に示すように、下カバー１２４は、中空箱型形状に形成されている。下カバー１２４のブラシ部１４０には、ピン１４１が複数並べて配列されるピン配設部１４５が備えられている。ピン配設部１４５は、ハウジング１２５の外面の一面を構成する底面１２４Ａに設けられている。ピン配設部１４５としての底面１２４Ａには、ピン１４１が挿通させる複数のピン挿通孔１０２と、複数のミスト孔１０１と、が設けられている。
【００４８】
ピン１４１は、隣合う複数のピン毎（本実施形態では横並びの３つのピン毎）に、ピン連結部１４２によって連結されている。ピン１４１は、ピン連結部１４２を下カバー１２４の内側に配設した状態で、底面１２４Ａに設けられたピン挿通孔１０２にピン１４１を挿通することで、ピン配設部１４５に取り付けられる。また、ピン配設部１４５には、底面１２４Ａを貫通させて複数のミスト孔１０１が設けられる。ミスト孔１０１は、ピン配設部１４５の全体に亘って設けられ、ピン配設部１４５において、ピン挿通孔１０２及びピン連結部１４２が配設される部分を除く部分に、互いの間に略均一な間隔をあけて設けられている。
【００４９】
また、下カバー１２４の底面１２４Ａには、ブラシ部１４０の略中央に、ブラシ部１４０の長手方向に延びる照射開口１７０が設けられている。上カバー１２１と下カバー１２４とを合わせ面１２５Ａで合わせた際に、上カバー１２１に一体に取り付けられた光源部１６０は、グローブ１６１が、ブラシ部１４０の照射開口１７０を塞ぎ、ＬＥＤ１６２が照射開口１７０を臨むように配設されている。なお、照射開口１７０の縁に沿ってＯリングやパッキン、コーキング材等のシール部材を設けて、このシール部材を照射開口１７０と、グローブ１６１との間で押し潰すことで、照射開口１７０からミストが漏れ出るのを防ぐ構成であっても良い。
【００５０】
図９、図１０に示すように、上カバー１２１、下カバー１２４の各々には、互いを合わせ面１２５Ａで合わせてねじで固定するためのボス部１６８，１６９が互いの対応する位置に複数箇所設けられている。上カバー１２１と、下カバー１２４とは、下カバー１２４の下側から、各ボス部１６８，１６９に挿入された不図示のねじでねじ止めされて互いに固定される。
【００５１】
これらの構成によって、ホース３０を介して、装置本体１０からミスト噴霧ヘアブラシに供給されたミストは、下カバー１２４内部のミスト流路１０６を通り、把持部１３０内部からブラシ部１４０内部へと流れ、ブラシ部１４０の底面１２４Ａに設けられたミスト孔１０１から外部に噴霧される。このように、装置本体１０と、ミスト噴霧ヘアブラシ１００とを別体にすることで、給水用のボトル６５、水タンク４２、及び、ミスト生成ユニット２０は装置本体１０に設けられる。よって、給水用のボトル６５、及び、水タンク４２を、十分量のミストを所望の時間連続的に噴霧するために必要となる量の水を補填することができる容量としても、ミスト噴霧ヘアブラシ１００が大型化することがない。また、ミスト噴霧ヘアブラシ１００は電池で駆動される構成のため、ミスト噴霧ヘアブラシ１００に電源コードを接続する必要がなく、使い勝手の良いミスト噴霧ヘアブラシを提供することができる。
【００５２】
以上説明したように、本発明を適用した実施形態によれば、液体のミストを生成する装置本体１０にホース３０で接続されるミスト噴霧ヘアブラシ１００であって、持ち手として用いられる把持部１３０と、把持部１３０の先端に連設され複数のピン１４１を有するブラシ部１４０と、を有するブラシ本体１２０を備え、把持部１３０の基端部１２０Ａには、ホース３０が接続されるミスト供給口１２０Ｃが備えられ、ブラシ本体１２０の外装を構成するハウジング１２５の内部は、ミスト供給口１２０Ｃから把持部１３０を経てブラシ部１４０に亘って延びる空洞状であり、ブラシ部１４０には、ミストを噴霧する複数のミスト孔１０１が備えられている。
【００５３】
この構成によれば、ミスト噴霧ヘアブラシ１００は、持ち手である把持部１３０の基端に接続されたホース３０を介して供給されるミストを、ブラシ本体１２０の内部空間を通して、把持部１３０の先端に連設されたブラシ部１４０から噴霧する。これにより、ミスト噴霧ヘアブラシ１００を重量化や大型化することなく、十分量のミストを所望の時間連続的に噴霧することができる。また、ホースが、把持部１３０の基端部１２０Ａに接続されているため、使い勝手良いミスト噴霧ヘアブラシを提供することができる。
【００５４】
また、本実施形態によれば、ブラシ部１４０は、ハウジング１２５の外面の一部を構成し、複数のピン１４１及び、前記複数のミスト孔１０１が設けられるピン配設部１４５を有し、ブラシ部１４０の空洞内部に、ピン配設部１４５との間に仕切りを設けて、電子部品が配置される電装部１５０を備えた。この構成によれば、ミスト孔１０１を、複数のピン１４１が設けられるピン配設部１４５に形成することで、被施術者の毛髪をブラッシングする際に、ミスト孔１０１からミストを噴霧することで、被施術者の毛髪にミストを効率よく供給することができる。また、ブラシ部１４０の空洞内部に、ピン配設部１４５との間に仕切りを設けて、電装部１５０を備えたため、電装部１５０がミストの影響を受ける事がなく、且つ、電装部１５０によってミスト孔１０１からのミストの噴霧が妨げられることもない。
【００５５】
また、本実施形態によれば、ブラシ部１４０には、ＬＥＤ１６２が設けられ、ＬＥＤ１６２からの光が複数のピン１４１の間から出射可能に構成されている。この構成によれば、被施術者の毛髪をブラッシングする際に、毛髪および頭皮にＬＥＤ１６２にからの光を照射させる。これにより、赤色光、青色光、緑色光を夫々を発光するＬＥＤ１６２を用いて、毛髪の育毛促進や、毛髪や頭皮の殺菌、頭皮のストレス軽減や水分保持の促進等の効果を与えることができる。
【００５６】
また、本実施形態によれば、電装部１５０に、コントロール基板１３６と、コントロール基板に接続される振動モーター１５２と、ミスト噴霧ヘアブラシ１００の各部の駆動電源である電池を収容する電池ホルダー１５１と、を備えた。この構成によれば、電装部に電子部品をまとめて収容することができるため、ブラシ本体の構造、及び、配線が複雑化されることがない。また、ミスト噴霧ヘアブラシ１００の各部は電池で駆動されるため、ミスト噴霧ヘアブラシ１００に電源コードを配線する必要がなく、操作性が良い。
【００５７】
また、本実施形態によれば、ピン配設部１４５には、複数並べて設けられたＬＥＤ１６２の発光面が臨む出射開口１７０が、ブラシ部１４０の長手方向に沿って設けられ、出射開口１７０を光透過性のグローブ１６１で閉塞した。この構成によれば、ブラシ部１４０のピン配設部１４５にミスト孔１０１と、出射開口１７０とを設けて、被施術者の毛髪にブラッシングする際に、毛髪にミストを供給すると共に、毛髪および頭皮にＬＥＤ１６２の光を照射することができ、毛髪及び頭皮に優しいブラッシングを効果的に行うことができる。
【００５８】
また、本発明を適用した実施形態によれば、筐体１１内に、ミスト生成ユニット２０と、電源ユニット２１と、ミスト生成ユニット２０により生成されたミストを放出するミスト放出ユニット２２と、を有し、ミスト放出ユニット２２は、ミスト生成ユニット２０により生成されたミストを収集する収集部２５と、収集部２５に収集されたミストを風圧により放出する放出ダクト２４と、を備えた装置本体１０と、装置本体１０の放出ダクト２４に、ホース３０で接続されたミスト噴霧ヘアブラシ１００と、を備えた。
【００５９】
この構成によれば、装置本体１０のミスト生成ユニット２０で生成されたミストを、ミスト放出ユニット２２による風圧でミスト噴霧ヘアブラシ１００から被施術者の毛髪に噴霧することができる。よって、ミスト生成ユニット２０およびミスト放出ユニット２２をミスト噴霧ヘアブラシ１００とは別体にし、ミスト噴霧ヘアブラシ１００の軽量化及び小型化を図って、且つ、十分量のミストを所望の時間連続的に噴霧することができる。
【符号の説明】
【００６０】
１  ミスト噴霧装置
１０  装置本体（ミスト生成装置）
１１  筐体
２０  ミスト生成ユニット
２１  電源ユニット
２２  ミスト放出ユニット
２４  放出ダクト
２５  収集部
２９  送風ファン
３０  ホース（ミスト供給ホース）
４２  水タンク
６５  ボトル
１００  ミスト噴霧ヘアブラシ
１０１  ミスト孔
１０６  ミスト流路
１１０  ホース継手
１２０  ブラシ本体
１２０Ａ  基端（基端部）
１２０Ｃ  ミスト供給口
１２５  ハウジング
１３０  把持部
１３６  コントロール基板
１４０  ブラシ部
１４１  ピン
１４５  ピン配設部
１５０  電装部
１５２  振動モーター（振動部）
１６０  光源部
１６１  グローブ
１６２  ＬＥＤ（ＬＥＤ発光素子）
１７０  照射開口
【図１】
2018000842.tif 000003
【図２】
2018000842.tif 000004
【図３】
2018000842.tif 000005
【図４】
2018000842.tif 000006
【図５】
2018000842.tif 000007
【図６】
2018000842.tif 000008
【図７】
2018000842.tif 000009
【図８】
2018000842.tif 000010
【図９】
2018000842.tif 000011
【図１０】
2018000842.tif 000012